(57)【特許請求の範囲】
【請求項１】
建物内に複数の居室とこれに対応して設けられた物品収納用の収納室とを有し、この建物の出入口近傍に個人判別装置を設置し、この個人判別装置が特定個人を判別すると上記出入口のドアを解錠する出入口ドア解錠手段と、上記個人判別装置が上記特定個人を判別した後、人為的に第１の信号が入力されると上記特定個人に対応する上記収納室の扉を解錠する第１解錠手段と、上記個人判別装置が上記特定個人を判別した後、人為的に第２の信号が入力されると上記特定個人に対応する上記居室のドアを解錠する第２解錠手段とを備えたことを特徴とする建物管理装置。
【請求項２】
個人判別装置として操作者の個人番号を判別する装置を用い、第１解錠手段を、上記個人判別装置が上記個人番号を判別した後、人為的に第１の信号が入力されると収納室を選択してこの収納室の上記個人番号に対応する扉を解錠し、第２解錠手段を、上記個人判別装置が上記個人番号を判別した後、人為的に第２の信号が入力されると居室を選択してこの居室の上記個人番号に対応するドアを解錠するように構成したことを特徴とする請求項１記載の建物管理装置。
【請求項３】
解錠先を人為的に選択する入力装置を設け、第１解錠手段を、個人判別装置が特定個人を判別した後、上記入力装置により第１の解錠先が選択されるとその選択に対応する収納室の扉を解錠し、第２解錠手段を、上記個人判別装置が上記特定個人を判別した後、上記入力装置により第２の解錠先が選択されるとその選択に対応する上記居室のドアを解錠するように構成したことを特徴とする請求項１記載の建物管理装置。
【請求項４】
個人判別装置が特定個人を判別した後収納室の扉を解錠するまでの時間を上記収納室の位置に応じて設定し、上記個人判別装置が上記特定個人を判別した後居室のドアを解錠するまでの時間を上記居室の位置に応じて設定するように構成したことを特徴とする請求項１〜請求項３のいずれかに記載の建物管理装置。
【発明の詳細な説明】
【０００１】
【発明の属する技術分野】
この発明は、建物内の居室のドアや収納室の扉の解錠を、個人判別装置によって管理する装置に関するものである。
【０００２】
【従来の技術】
企業の寮舎等では、建物内の出入口、居室の出入口等のドアに電気錠を設け、これを個人カードを判別して解錠する建物管理装置を設置する場合がある。
図６は従来の建物管理装置を示す建物内平面図である。
建物１の居住者が帰寮したとき、自分が所持する個人カードをカードリーダ１２に操作する。カードリーダ１２はこの個人カードが正規のものであると判定すると、出入口のドア１１の電気錠１１ａを解錠する。
【０００３】
これで、居住者はドア１１を開いて入館することができる。８〜１０はロッカで、それぞれ電磁ロック８ａ〜１０ａを有しており、カードリーダ２１〜２３に個人カードを操作することにより、所定のものの電磁ロック８ａ〜１０ａを外すことができる。また、居室２〜４にもそれぞれカードリーダ２４〜２６が設置されており、同様に個人カードの操作により各居室２〜４のドア５〜７の電気錠５ａ〜７ａを解錠することができる。
【０００４】
【発明が解決しようとする課題】
上記のような従来の建物管理装置では、居室２〜４及びロッカ８〜１０にカードリーダ２１〜２６を設けて管理するようにしているため、設備費が高価となり、操作も面倒であるという問題点がある。
【０００５】
この発明は上記問題点を解消するためになされたもので、最小数の個人判別装置を用いるだけで、収納室／居室の施錠／解錠ができるようにした建物管理装置を提供することを目的とする。
【０００６】
【課題を解決するための手段】
この発明の第１発明に係る建物管理装置は、建物出入口の個人判別装置が特定個人を判別すると、建物出入口のドアを解錠し、特定個人判別後人為的に第１の信号が入力されると建物内の収納室の扉を解錠し、特定個人判別後人為的に第２の信号が入力されると居室のドアを解錠するようにしたものである。
【０００７】
また、第２発明に係る建物管理装置は、第１発明のものにおいて、個人判別装置が個人番号を判別した後、人為的に第１の信号が入力されると収納室を選択してこの収納室の上記個人番号に対応する扉を解錠し、同様にして第２の信号が入力されると居室を選択してこの居室のドアを解錠するようにしたものである。
【０００８】
また、第３発明に係る建物管理装置は、第１発明のものにおいて、個人判別装置が特定個人を判別した後、入力装置により第１の解錠先が選択されると、その選択に対応する収納室の扉を解錠し、同様にして第２の解錠先が選択されるとその選択に対応する居室のドアを解錠するようにしたものである。
【０００９】
また、第４発明に係る建物管理装置は、第１〜第３発明のものにおいて、個人判別装置が特定個人を判別した後収納室の扉又は居室のドアを解錠するまでの時間を、収納室又は居室の位置に応じて設定するようにしたものである。
【００１１】
【発明の実施の形態】
実施の形態１．
図１〜図４はこの発明の第１及び第２発明の一実施の形態を示す図で、図１は建物内平面図、図２は出入口カードリーダの斜視図、図３は出入口カードリーダのブロック線図、図４は動作フローチャートで、図中同一符号は同一部分を示す（以下の実施の形態も同じ）。
【００１２】
図１において、１は寄宿寮等の建物、２〜４は第１〜第３号の居室、５〜７はそれぞれ第１〜第３号室２〜４の出入口を開閉するドアで、それぞれ電気錠５ａ〜７ａが設けられている。８〜１０はそれぞれ第１〜第３号室２〜４に対応する第１〜第３ロッカで、その扉には電磁ロック８ａ〜１０ａが設けられている。１１は建物１の出入口を開閉するドアで、電気錠１１ａが設けられている。１２は建物の外側で出入口の近傍に設置されたカードリーダである。
【００１３】
図２及び図３において、１３はカードリーダ１２に設けられ居住者の所持する個人（ＩＤ）カードに記録されたＩＤ番号を読み取るリーダヘッド、１４は照合結果を「ＯＫ灯」及び「ＮＧ灯」で表示する表示器、１５は「０」「１」〜「９」の数字キー及び「＊」「＃」の記号キーからなるテンキー、１６はＣＰＵ、１７はＲＯＭ、１８はＲＡＭ、１９はインタフェースである。インタフェース１９は建物ドア１１の電気錠１１ａ、第１〜第３号室ドアの電気錠５ａ〜７ａ及び第１〜第３ロッカ用電磁ロック８ａ〜１０ａが接続されている。
【００１４】
次に、この実施の形態の動作を図４を参照して説明する。
ステップＳ１でリーダヘッド１３がＩＤカードをリードするのを待つ。居住者がＩＤカードをリーダヘッド１３に操作すると、ステップＳ２でＩＤカードのＩＤ番号を読み取り、そのＩＤ番号が第Ｎ号室（第１〜第３号室）２〜４の人のものであるかを判断する。第Ｎ号室２〜４のどの人のものでもないと判断すると、ステップＳ３で表示器１４の「ＮＧ灯」を一時点灯し、処理は進まない。ＩＤ番号が第Ｎ号室２〜４どれかの人のものであると判断すると、ステップＳ４で表示器１４の「ＯＫ灯」を一時点灯すると同時に、ステップＳ５及びステップＳ６，Ｓ８へ進む。
【００１５】
ステップＳ５では建物ドア１１の電気錠１１ａを一定時間解錠する。また、ステップＳ６で所定時間以内にテンキー１５の「＃」キー、又は「＃」キー及び第Ｎ号室２〜４のどれかに相当する「Ｎ」キー（ここでは第１号室２に相当する「１」キー）が押されたかを判断し、これらのキーが押されなければステップＳ１へ戻り、押されればステップＳ７へ進む。ステップＳ７で一定時間、第１ロッカ８の電磁ロック８ａを外す。これで、所定時間内にドア１１を開いて建物１内に入れば、第１ロッカ８の扉を開くことができ、くつ等を収納して扉を閉めれば、第１ロッカ８の扉は電磁ロックされる。
【００１６】
また、ステップＳ２でＩＤ番号が第１号室２の人のものであると判断されたとき、ステップＳ８で所定時間以内にテンキー１５の「＊」キー、又は「＊」キー及び第１号室２に相当する「Ｎ」キー（ここでは「１」キー）が押されたかを判断し、これらのキーが押されなければ、ステップＳ１へ戻り、押されればステップＳ９へ進む。ステップＳ９で所定時間後に、一定時間、第１号室２のドア５の電気錠５ａを解錠する。ここで、一定時間は第１ロッカ８から第１号室２へ歩く時間を考慮した時間である。ここで、ステップＳ２，Ｓ５は出入口ドア解錠手段を、ステップＳ２，Ｓ６，Ｓ７は第１解錠手段を、ステップＳ２，Ｓ８，Ｓ９は第２解錠手段を構成している。
【００１７】
このようにして、建物出入口近傍のカードリーダ１２によって、ＩＤ番号が第Ｎ号室に対応することを判別し、かつテンキー１５により解錠先が選択されると、第Ｎロッカの電磁ロックを外し、第Ｎ号室のドアの電気錠を解錠する。したがって、各居室２〜４及び各ロッカ８〜１０にカードリーダを設置する必要はなくなり、かつ操作は簡単になる。
【００１８】
実施の形態２．
図５はこの発明の第３発明の一実施の形態を示す動作フローチャートである。なお、図１〜図３は実施の形態２にも共用する。
この実施の形態は、実施の形態１がＩＤ番号によってロッカ８〜１０及び居室２〜４を判別したのに対し、テンキー１５の操作によってロッカ８〜１０及び居室２〜４を選択するようにしたものである。
【００１９】
次に、この実施の形態の動作を、実施の形態１との相違点を主に説明する。
ステップＳ１でＩＤカードをリードすると、ステップＳ１１でそのＩＤ番号は第１〜第３号室２〜４の居住者のものであるかを判断し、上記居住者のだれのものでもないと判断するとステップＳ１へ戻り、だれかのものであると判断するとステップＳ１２又はステップＳ１３へ進む。
そして、ステップＳ１２で所定時間以内にテンキー１５の「＃」キー及び第１号室２に相当する「１」キーが押されると、ステップＳ７で一定時間第１ロッカ８の電磁ロック８ａを外す。
【００２０】
また、ステップＳ１３で所定時間以内にテンキー１５の「＊」キー及び「１」キーが押されると、ステップＳ９で所定時間後に、一定時間第１号室２のドア５の電気錠５ａを解錠する。ここで、ステップＳ１１，Ｓ５は出入口ドア解錠手段を、ステップＳ１１，Ｓ１２，Ｓ７は第１解錠手段を、ステップＳ１１，Ｓ１３，Ｓ９は第２解錠手段を構成している。
この実施の形態は、実施の形態１と同様の効果を有する。
【００２１】
実施の形態３．
この発明の第４発明の一実施の形態を示し、図４及び図５のステップＳ７では、それぞれステップＳ６又はステップＳ１２の動作後直ちにロッカ８〜１０の電磁ロック８ａ〜１０ａを外し、ステップＳ９では、それぞれステップＳ８又はステップＳ１３の動作後、所定時間を経て第Ｎ号室２〜４のドア５〜７の電気錠５ａ〜７ａを解錠するようにしたが、これを次のように、ロッカ８〜１０又は居室２〜４の位置に応じて設定するものである。
【００２２】
(1) その人のロッカが近くにあれば、電磁ロックを即時外す。
(2) その人のロッカが遠くにあれば、そこへ行くまでの時間遅れを考慮して電磁ロックを外す。
(3) それぞれの居室へ行くまでの時間遅れを考慮して居室の電気錠を解錠。
このようにして、利便性に富み、かつ警備性に優れたものとすることが可能となる。
【００２３】
実施の形態４．
この発明の第４発明の他の実施の形態を示し、実施の形態３では、ロッカ８〜１０の電磁ロック８ａ〜１０ａを外すまでの時間、及び居室２〜４の電気錠５ａ〜７ａを解錠するまでの時間を設定するものを示したが、これをロッカ８〜１０の操作時間と、そこから居室２〜４へ行くまでの時間を考慮して、居室２〜４の電気錠５ａ〜７ａを解錠するようにしたものである。
このようにして、更に利便性に富み、かつ警備性に優れたものとすることが可能となる。
【００２４】
実施の形態５．
この発明の第４発明の他の実施の形態を示し、図４及び図５のステップＳ９では、それぞれステップＳ８又はステップＳ１３の動作後、所定時間を経て、第Ｎ号室２〜４のドア５〜７の電気錠５ａ〜７ａを解錠するようにしたが、これをロッカ８〜１０が選択されたときと、選択されなかったときとで、居室２〜４を解錠するまでの時間を変えるようにしたものである。すなわち、ロッカ８〜１０が選択されたときは、選択されなかったときよりも解錠する時間を遅らせるようにしたものであり、実施の形態４と同様の効果がある。
【００２５】
その他の実施の形態．
次のように実施することも可能である。
(1) ロッカ８〜１０以外の収納室として、ゴルフ道具入れ等の収納部にも適用する。
(2) 建物１は寮舎以外に、マンション等の共用性の高いものにも適用する。
(3) 建物１の規模が大きく、出入口が複数個ある場合にも適用する。
【００２６】
(4) １人の居住者が複数のロッカ８〜１０や居室２〜４を使用する場合は、それぞれカードリーダで選択できるようにする。
(5) ＩＤ判別装置としてカードリーダ１２を用いるものとしたが、カードリーダに使用するカードとして、磁気、ＩＣ、非接触等のカードを使用する。また、テンキー及びバイオメトリクスＩＤ（指紋、アイリス、声紋等）等を使用し、またそれらを併用する。
【００２７】
(6) 自動ドア、回転扉にも使用する。
(7) 人通りの多い昼間は出入口のドア１１は開放したままとし、ロッカ８〜１０と居室２〜４だけを制御する。
【００２８】
【発明の効果】
以上説明したとおりこの発明の第１発明では、建物出入口の個人判別装置が特定個人を判別すると、建物出入口のドアを解錠し、人為的に第１の信号が入力されると建物内の収納室の扉を解錠し、第２の信号が入力されると居室のドアを解錠し、第２発明では、個人判別装置が個人番号を判別すると、その個人番号に対応する収納室の扉又は居室のドアを解錠し、第３発明では、入力装置により解錠先が選択されると、その選択に対応する収納室の扉又は居室のドアを解錠するようにしたので、収納室及び居室に個人判別装置を設置する必要はなくなり、安価に構成でき、操作も簡単にすることができる。
【００２９】
また、第４発明では、個人判別装置が特定個人を判別すると、収納室又は居室の位置に応じて設定された時間後に、収納室の扉又は居室のドアを解錠するようにしたので、利便性に富み、かつ解錠されたままになる時間を最小にして警備性に優れたものとすることができる。
【図面の簡単な説明】
【図１】  この発明の実施の形態１を示す建物内平面図。
【図２】  図１の出入口カードリーダを示す斜視図。
【図３】  図２の出入口カードリーダのブロック線図。
【図４】  この発明の実施の形態１を示す動作フローチャート。
【図５】  この発明の実施の形態２を示す動作フローチャート。
【図６】  従来の建物管理装置を示す建物内平面図。
【符号の説明】
１  建物、    ２〜４  居室（第１〜第３号室）、    ５〜７  ドア、    ５ａ〜７ａ  電気錠、    ８〜１０  収納室（第１〜第３ロッカ）、    ８ａ〜１０ａ  電磁ロック、    １１  出入口のドア、    １１ａ  電気錠、    １２  個人判別装置（ＩＤ判別装置）、    １３  リーダヘッド、    １５  テンキー、    Ｓ２，Ｓ５  出入口ドア解錠手段、    Ｓ２，Ｓ６，Ｓ７  第１解錠手段、    Ｓ２，Ｓ８，Ｓ９  第２解錠手段、    Ｓ１１，Ｓ５  出入口ドア解錠手段、    Ｓ１１，Ｓ１２，Ｓ７  第１解錠手段、    Ｓ１１，Ｓ１３，Ｓ９  第２解錠手段。
【図１】
0003652119.tif 000002
【図２】
0003652119.tif 000003
【図３】
0003652119.tif 000004
【図４】
0003652119.tif 000005
【図５】
0003652119.tif 000006
【図６】
0003652119.tif 000007